(57)【要約】【課題】  簡単な構成で、扉が反った場合でもラッチが受部材の受孔に確実に突入できて仮施錠できるとともに、扉のガタ付きが確実に防止できるラッチ錠を提供すること。【解決手段】ラッチ４の頭部４ａは、扉ａを閉鎖状態とするため枠ｂ側に設けた受部材５０に当接する一側部を傾斜面４１とするとともに、該ラッチ４の頭部４ａの他側部は、後部に直線状の第１平板面４２を、先端部に前記第１平板面４２より後退した位置に直線状の第２平板面４３を形成するとともに、前記第１平板面４２と第２平板面４３との間には後部から前部に向けて上り勾配の斜面４４を連続して形成してある。【選択図】        図３
2008008017.tif 000002
【特許請求の範囲】
【請求項１】
錠ケース内に、常時は錠ケースから突出するようにバネにより付勢されたラッチと、この突出されたラッチを後退作動させる後退操作機構とを少なくとも備え、かつ扉の戸先側端部に取り付けられるラッチ錠において、
前記ラッチの頭部は、扉を閉鎖状態とするため枠側に設けた受部材に当接する一側部を傾斜面とするとともに、該ラッチの頭部の他側部は、後部に直線状の第１平板面を、先端部に前記第１平板面より後退した位置に直線状の第２平板面を形成するとともに、前記第１平板面と第２平板面との間には後部から前部に向けて上り勾配の斜面を連続して形成してなることを特徴とするラッチ錠。
【発明の詳細な説明】
【技術分野】
【０００１】
本発明は、仮施錠錠であるラッチ錠に係わり、特に扉に反りが生じた場合でも、ラッチが錠ケースより突出して、相手側の枠側に設けた受孔に出没自在に突入できるラッチ錠に関する。
【背景技術】
【０００２】
従来のラッチ錠の一例を図７に示す。この図７は、一端側を枠の開口部にヒンジで回動自在に枢支した開き戸式の扉ａの戸先側端部にラッチ錠０１を取り付け、このラッチ錠０１のラッチ０４が、扉ａが対向する枠ｂに取り付けられた受部材０１０の受孔０１３に突入して仮施錠状態を保持している通常の状態を示している。図７の（ａ）は正面図、（ｂ）は平面図である。
ラッチ錠０１は、箱状の錠ケース０２と、この錠ケース０２内に、常時は錠ケース０２から突出するようにバネ０３により付勢されたラッチ０４と、この突出されたラッチ０４を後退作動させるために、室外側や室内側に設けられたノブやハンドル（図示せず）と連結されたラッチハブ０６等の後退操作機構０５などを少なくとも備えている。
【０００３】
また、前記受部材０１０は、枠ｂの切欠き凹部に箱状部を埋設した受箱０１１と、この受箱０１１の前面に固定される受板０１５とからなっている。
すなわち、この受箱０１１は、ラッチ０４が出没自在に挿入される受孔０１３を有する箱状部０１２と、該箱状部０１２の前面の上下方向に延設した鍔部０１４，０１４とからなっている。この鍔部０１４，０１４に受板０１５を重合して両者を枠ｂにネジ（図示せず）等で固定する。図７で、０１６はラッチ０４の導入穴、０１７はラッチ０４の傾斜面０４１が当接する湾曲部である。
【０００４】
ラッチの頭部０４ａは、扉ａを閉鎖状態とするため枠ｂ側に設けた受部材０１０の湾曲部０１７に当接する一側部を傾斜面０４１とするとともに、該ラッチの頭部０４ａの他側部は直線状の平板面０４２としてある。従って、開扉状態の扉ａを閉扉状態へ押して行くと、ラッチの頭部０４ａの傾斜面０４１が受板０１５の湾曲部０１７に当接して、該ラッチの頭部０４ａがバネ０３の付勢力に抗して一旦後退した後、更に扉ａを押すと、図７の（ｂ）に示す如くラッチの頭部０４ａがバネ０３の付勢力により受部材０１０の受孔０１３内に突入して、仮施錠状態となって扉ａが閉鎖状態に保持される。この仮施錠状態においては、室内外側のノブやハンドルを解錠方向に回動して前記ラッチの頭部０４ａを後退させない限り、前記平板面０４２が受孔０１３の側壁に係止されるため、扉ａを開放することはできない。
【０００５】
なお、受孔０１３内にラッチの頭部０４ａが突入している仮施錠状態において、受孔０１３の側壁とラッチ０４の平板面０４２とには少しばかり隙間が形成されるような位置関係にあり、受孔０１３の側壁にラッチ０４が接触することなく円滑に出没できるようにしてある。
また、閉扉・仮施錠状態から開扉・解錠状態とするには、周知の如く、扉ａの室外側や室内側に設けたノブやハンドルを回動することによって、前記後退操作機構０５を介してラッチ０４を後退させ開扉状態とすることができる。
【０００６】
ところで、日常において、日中の直射日光が扉に当たることや、外気の温度上昇によって、扉の外側が熱膨張し扉には反りが生じるものである。上記従来のラッチ錠では、この扉の反りに起因して、ラッチ錠を取り付けてある扉の中央部が室外側にせり出して、図８に示すように、ラッチ錠０１も扉ａが室外側に移動するため、閉扉しようとしてもラッチ０４の先端部が受部材０１０の受板０１５に当接し、受部材０１０の受孔０１３に突入することができず仮施錠できないという問題があった。
【０００７】
この扉ａの反りによる不都合の解消策としては、ラッチ錠を扉に組み付ける際に、枠側に取り付ける受部材を調整できるようにした調整受けが提案されているが、この調整受けで前記問題点を解消するとすれば、毎日朝晩に調整する必要があり、実施化不可能であった。
【０００８】
また、特開２００５−３３０７０４号公報（特許文献１）に示されているように、受部材を改良したものも提案されているが、内外２個のスペーサや柱部材やコイルバネなどの多数の構成部品を必要とするとともに、構造が複雑で高価なものとなるなどの問題があった。
【０００９】
【特許文献１】特開２００５−３３０７０４号公報
【発明の開示】
【発明が解決しようとする課題】
【００１０】
解決しようとする課題は、従来のラッチ錠では、扉が反った場合に、ラッチ錠自体で、ラッチが受部材の受孔に突入できず仮施錠ができないという問題があるとともに、構造が複雑で高価なものとなるなどの問題があった。
【００１１】
本発明は、上記従来の問題点を解消するために案出したものであり、簡単な構成で、扉が反った場合でもラッチが受部材の受孔に確実に突入できて仮施錠できるとともに、扉のガタ付きが確実に防止できるラッチ錠を提供することを主たる目的とする。
【課題を解決するための手段】
【００１２】
上記目的を達成するため、本発明のラッチ錠は、錠ケース内に、常時は錠ケースから突出するようにバネより付勢されたラッチと、この突出されたラッチを後退作動させる後退操作機構とを少なくとも備え、かつ扉の戸先側端部に取り付けられるラッチ錠において、前記ラッチの頭部は、扉を閉鎖状態とするため枠側に設けた受部材に当接する一側部を傾斜面とするとともに、該ラッチの頭部の他側部は、後部に直線状の第１平板面を、先端部に前記第１平板面より後退した位置に直線状の第２平板面を形成するとともに、前記第１平板面と第２平板面との間には後部から前部に向けて上り勾配の斜面を連続して形成してなることを特徴とする。
【発明の効果】
【００１３】
本発明のラッチ錠によれば、ラッチの頭部は、扉を閉鎖状態とするため枠側に設けた受部材に当接する一側部を傾斜面とするとともに、該ラッチの頭部の他側部は、後部に直線状の第１平板面を、先端部に前記第１平板面より後退した位置に直線状の第２平板面を形成するとともに、前記第１平板面と第２平板面との間には後部から前部に向けて上り勾配の斜面を連続して形成してなることを特徴とするから、以下の如き効果を奏する。
【００１４】
すなわち、ラッチの頭部には、一側部に傾斜面を、他側部の先端部に第１平板面より後退した位置に直線状の第２平板面を形成してあるから、例えば朝晩の扉が反っていない通常時には、例えば図３に示す如く受部材の受孔（受板の導入穴も含む。）の開口側壁に、ラッチの頭部の斜面又は第１平板面が係止するようにした場合、例えば日中の直射日光の熱などにより扉が反った時（図４参照）には、ラッチの頭部の第２平板面が受部材の受孔（受板の導入穴も含む。）の開口側壁に係止して（図５参照）、該ラッチが出没できるとともに、仮施錠が確実にできる。
【００１５】
また、ラッチの頭部の第１平板面と第２平板面との間には、後部から前部に向けて上り勾配の斜面を連続して形成しているから、扉の反りの度合に応じて前記斜面が受部材の受孔（受板の導入穴も含む。）の開口側壁に係止するように設定することにより、該ラッチがガタつくことなく、前記斜面上の任意個所が無段階で受部材の受孔（受板の導入穴も含む。）に出没自在に対向することができる（図６参照）。そして、この上り勾配の斜面があることにより、ラッチの出没時のガタつきが確実に防止できる。
【００１６】
なお、本発明によれば、扉が反っていない通常時には、ラッチの頭部の第１平板面が受部材の受孔に出没できるようにするとともに、扉が反った時には、ラッチの頭部の第２平板面又は斜面が受部材の受孔を出没できるようにすることもできる。
【発明を実施するための最良の形態】
【００１７】
本発明は、ラッチ錠のラッチの頭部の一側部を従来のように傾斜面とするとともに、該ラッチの頭部の他側部は、後部に直線状の第１平板面を、先端部に前記第１平板面より後退した位置に直線状の第２平板面を形成し、前記第１平板面と第２平板面との間には後部から前部に向けて上り勾配の斜面を連続して形成してなることを特徴とする。詳しくは以下の実施例を参照するとよい。
【実施例】
【００１８】
本発明の一実施例を図１〜図６に基づいて以下に説明する。
図１は本発明に係る一例のラッチ錠の一部を断面して示した正面図、図２は図１の平面図である。この図１及び図２において、ラッチ錠１は、箱状の錠ケース２と、この錠ケース２内に、常時は錠ケース２から突出するようにバネ３により付勢されたラッチ４と、この突出されたラッチ４を後退作動させるために、室外側や室内側に設けられたノブやハンドルと連結されたラッチハブ６等の後退操作機構５などを備えている。図１で、４ａはラッチの頭部であって、錠ケース２の前板２ａに形成した出入孔２ｂから出没自在に突出される。４ｂはラッチの頭部の後端に固定されたラッチ柄であって、このラッチ柄４ｂはコ字状の操作杆４ｃの両端に形成した折曲片の嵌入孔４ｄ、４ｄに嵌挿され、ラッチ柄４ｂの後端部に形成された抜け止め部４ｅにより、操作杆４ｃとラッチ柄４ｂとが一体的に保持されている。
【００１９】
前記ラッチハブ６は、錠ケース２に枢支してあるとともに、該錠ケース２との間にねじりバネ等のバネ７を設け、同ラッチハブ６を常時には図１において反時計方向に付勢してある。また、ラッチハブ６の上部には、前記操作杆４ｃの後端折曲片４ｆに係合する係合部６ａが形成されている。その他、８は柱、９はバネ掛け部材である。        
【００２０】
ところで、例えば、建物の壁を構成する躯体の開口部に枠が固定され、図４に示されているように、前記枠ｂの枢支端側にヒンジ（図示せず）により開き戸式の扉ａが回動自在に取り付けられている。この扉ａの枢支端側とは反対の自由端側の戸先側端部には、図４に示されているように前記ラッチ錠１が彫り込み式に取り付けてある。すなわち、このラッチ錠１は、錠ケース２の本体部を扉ａの戸先側端部に形成した切欠き凹部（図示せず）に埋め込み、その前板２ａを扉ａにネジ１０で固定する。そして、ラッチハブ６のハブ孔６ｂには、室外側または室内側からレバーハンドルやノブ１１の操作軸１２が嵌挿されている。従って、レバーハンドルやノブ１１を解錠方向へ回動すると、ラッチハブ６はバネ７及び３のバネ力に抗して解錠方向（図１で時計方向）へ回動されるため、係合部６ａを介してラッチの頭部４ａは図１で右方向へ後退作動され解錠状態となる。
【００２１】
また、ラッチの頭部４ａは、図２、図３及び図５に示されているように平面視において、扉ａを閉鎖状態とするため枠ｂ側に設けた図７及び図８と同様な受部材５０の湾曲部に当接する一側部を傾斜面４１とするとともに、該ラッチの頭部４ａの他側部は、後部に直線状の第１平板面４２を、先端部に前記第１平板面４２より後退した位置に直線状の第２平板面４３を形成するとともに、前記第１平板面４２と第２平板面４３との間には後部から前部に向けて上り勾配の斜面４４を連続して形成してある。
【００２２】
第２平板面４３が第１平板面より後退する位置は、図２に仮想線で示した距離Ｌだけ背面側に窪んでおればよい。その後退距離Ｌの長さに応じて、前記斜面４４の上り勾配の度合も適宜に設計変更できる。
【００２３】
一方、前記受部材５０は、図７及び図８の従来例のものと同様に、枠ｂの切欠き凹部ｂ３に箱状部を埋設した受箱５１と、この受箱５１の前面に固定される受板５２とからなっている。
すなわち、この受箱５１は、ラッチ４が出没自在に挿入される受孔５４を有する箱状部５３と、該箱状部５３の前面の上下方向に延設した鍔部（図７の０１４，０１４と同じ。）からなっている。この鍔部に受板５２を重合して両者を枠ｂにネジ（図示せず）等で固定する。図３で、５５はラッチ４の導入穴、５６はラッチ４の傾斜面４１が当接する湾曲部である。
【００２４】
なお、本明細書において、ラッチ錠１と受部材５０とは、扉ａ又は枠ｂへの取付状態で、扉ａの厚さ方向を正面側方向又は背面側方向、扉ａの幅方向を前後方向として説明する。また、本実施例では、扉ａは室外側へ開放する外開き扉としてある。
【００２５】
本実施例のラッチ錠１の作用について以下に説明する。
先ず、扉ａが反っていない通常時におけるラッチ４の出没状態について、図３に基づいて説明する。
扉ａが反っていない通常時において、扉ａを開けた開扉状態から閉扉状態へ押していくと、扉ａから外方へ突出しているラッチの頭部４ａは、その傾斜面４１が受板５２の湾曲部５６に当接して、斜面の作用により該ラッチの頭部４ａがバネ３の付勢力に抗して一旦後退した後、更に扉ａを完全に押すと、図３に示す如くラッチの頭部４ａがバネ３の付勢力により受板５２の導入穴５５を経て受部材５０の受孔５４内に突入して、仮施錠状態となって扉ａが閉鎖状態に保持される。このとき、ラッチの頭部４ａの斜面４４又は第１平板面４２（図３では斜面４４の後端部であるが、これに限らない。）が、受部材５０の受孔５４（受板５２の導入穴５５も含む。）の開口側壁に係止している。この仮施錠状態においては、従来と同様、室内外側のノブやハンドル１１を解錠方向に回動して前記ラッチの頭部４ａを後退させない限り、前記ラッチの頭部４ａの斜面４４又は第１平板面４２が受孔５４（受板５２の導入穴５５も含む。）の側壁に係止されるため、扉ａを開放することはできない。
【００２６】
次に、扉ａが外側へ反った状態におけるラッチ４の状態について、図４及び図５に基づいて説明する。
図４に示すように、日中の直射日光が扉に当たることや、外気の温度上昇によって、扉の外側が熱膨張し扉ａが室外側へ反った場合、ラッチ錠１も室外側へ移動してしまう（図４，図５参照）。そのため、ラッチの頭部４ａは、前述した通常時より室外側へ移動した位置で受部材５０の受孔５４に突入することになる。このとき、ラッチの頭部４ａの他側部の先端部に形成した第２平板面４３は、第１平板面４２より背面側に後退した位置に形成されているので、受板５２の導入穴５５及び受部材５０の受孔５４内に支障なく出没でき、ラッチの第２平板面４３は前記導入穴５５の開口側壁に係止され、確実に仮施錠できる（図５参照）。
【００２７】
尚、図３の閉扉状態でラッチ４が完全に突出し、第１平板面４２が受孔５４に当接する状態の場合、その状態で扉に反りが生じると第１平板面４２は受孔５４に圧接される。室外側又は室内側に設けたハンドルやノブによって、この圧接に打ち勝ってラッチ４を後退させることができるが、再び閉扉した時は第１平板面４２は受孔５４内に突出しない（従来ではラッチは受孔に係合しない。）。しかし、本発明では、第２平板面４３が突出してラッチが係合する。
【００２８】
また、ラッチの頭部４ａの第１平板面４２と第２平板面４３との間には、後部から前部に向けて上り勾配の斜面４４を連続して形成しているから、扉ａの反りの度合に応じて前記斜面４４が受部材５０の受孔５４（受板５２の導入穴５５を含む。）の開口側壁に係止するように設定することにより、該ラッチ４がガタつくことなく、前記斜面４４上の任意個所が無段階で受部材５０の受孔５４（受板５２の導入穴５５を含む。）に出没自在に対向することができる（図６参照）。
【００２９】
これを図６に沿って詳しく説明すると、図６の（ａ）に示す如く、扉ａが少し反ってラッチ４が室外側に少し移動した場合、ラッチ４の頭部４ａの斜面４４は受部材５０の受孔５４（受板５２の導入穴５５を含む。）のＰ地点で係止される。また、同様にして（ｂ）に示す如く、扉ａが大きく反ってラッチ４が前記（ａ）より室外側に大きく移動した場合、ラッチ４の頭部４ａの斜面４４は受孔５４のＱ地点で係止される。更に、（ｃ）に示す如く、扉ａより大きく反ってラッチ４が前記（ｂ）より大きく移動した場合、ラッチ４の頭部４ａの斜面４４は受部材５０の受孔５４（受板５２の導入穴５５を含む。）のＲ地点で係止される。このように、斜面４４上の任意個所が無段階に受孔５４に係止することができるのである。
【００３０】
しかも、前記上り勾配の斜面４４があることにより、ラッチ４の出没時のガタつきが確実に防止できる。
【００３１】
なお、本発明によれば、扉が反っていない通常時には、ラッチの頭部４ａの第１平板面４２が受部材５０の受孔５４に出没できるようにするとともに、扉が反った時には、ラッチの頭部４ａの第２平板面４３又は斜面４４が受部材５０の受孔５４を出没できるようにすることもできる。
【００３２】
また、前記実施例では、ラッチ錠１は、扉ａの戸先側端部に彫り込み方式で取り付けた場合を説明したが、扉ａの戸先側端部の室内側又は室外側に面付けした場合も実施することができる。
【図面の簡単な説明】
【００３３】
【図１】本発明の一実施例のラッチ錠の一部を断面して示した正面図である。
【図２】図１の平面図である。
【図３】扉が反っていない通常時におけるラッチ錠による仮施錠状態を示す平面図である。
【図４】扉が室外側に反った状態を示した説明図である。
【図５】扉が室外側に反った状態時におけるラッチの頭部の突出状態を示す平面図である。
【図６−ａ】扉が室外側に反った状態時におけるラッチの頭部と受部材との関係を示す平面図であり、（ａ）は扉及びラッチが室外側に少し移動した場合の平面図である。
【図６−ｂ】扉が室外側に反った状態時におけるラッチの頭部と受部材との関係を示す平面図であり、（ｂ）は上記（ａ）より更に移動した場合の平面図である。
【図６−ｃ】扉が室外側に反った状態時におけるラッチの頭部と受部材との関係を示す平面図であり、（ｃ）は上記（ｂ）より更に移動した場合の平面図である。
【図７−ａ】扉が反っていない通常時における従来のラッチ錠を示すものであり、（ａ）はラッチ錠の一部を断面して示した正面図である。
【図７−ｂ】扉が反っていない通常時における従来のラッチ錠を示すものであり、（ｂ）は上記（ａ）の平面図である。
【図８】扉が反った状態における上記図７のラッチ錠の平面図である。
【符号の説明】
【００３４】
１            ラッチ錠
２            錠ケース
３            バネ
４            ラッチ
４ａ          ラッチの頭部
５            後退操作機構
６            ラッチハブ
１１           レバーハンドルやノブ
４１            傾斜面
４２            第１平板面
４３            第２平板面
４４            斜面
５０            受部材
５１            受箱
５２            受板
５４            受孔
５５            導入穴
５６            湾曲部
ａ              扉
ｂ              枠
【図１】
2008008017.tif 000003
【図２】
2008008017.tif 000004
【図３】
2008008017.tif 000005
【図４】
2008008017.tif 000006
【図５】
2008008017.tif 000007
【図６−ａ】
2008008017.tif 000008
【図６−ｂ】
2008008017.tif 000009
【図６−ｃ】
2008008017.tif 000010
【図７−ａ】
2008008017.tif 000011
【図７−ｂ】
2008008017.tif 000012
【図８】
2008008017.tif 000013